(57)【要約】【課題】プレスフィット端子接続装置において端子が圧入される際の配線基板への影響を軽減する。【解決手段】プレスフィット端子接続装置１０は、第１のスルーホールＨ１１と、第１のスルーホールＨ１１に隣接する第２のスルーホールＨ１２と、第１のスルーホールＨ１１に隣接する第３のスルーホールＨ２１と、が設けられている配線基板を備える。第１〜３のスルーホールＨ１１，Ｈ１２，Ｈ２１には第１〜３のプレスフィット端子がそれぞれ圧入されている。そして、各プレスフィット端子は、第１のプレスフィット端子からの押圧力方向に沿う第１の直線Ｌ１と第２のプレスフィット端子からの押圧力方向に沿う第２の直線Ｌ２とが交わる点が一点以下となり、第１の直線Ｌ１と第３のプレスフィット端子からの押圧力方向に沿う第３の直線Ｌ３とが交わる点が一点以下となるように配置されている。【選択図】図４
2019169279.tif 000002
【特許請求の範囲】
【請求項１】
複数のスルーホールが設けられている配線基板と、前記スルーホールに挿入される複数のプレスフィット端子と、を備え、前記各プレスフィット端子には前記スルーホールに圧入されたときに互いに接近する方向に弾性変形する複数の弾性片が設けられており、前記スルーホールに圧入されている前記プレスフィット端子の前記弾性片の復元力によって当該プレスフィット端子が前記配線基板に保持されるプレスフィット端子接続装置であって、
前記スルーホールとして、第１のスルーホールと、該第１のスルーホールに対して第１の配列方向において隣接する第２のスルーホールと、前記第１のスルーホールに対して前記第１の配列方向と直交する第２の配列方向において隣接する第３のスルーホールと、が前記配線基板に設けられており、
前記各プレスフィット端子のうち、第１のプレスフィット端子が前記第１のスルーホールに圧入され、第２のプレスフィット端子が前記第２のスルーホールに圧入され、第３のプレスフィット端子が前記第３のスルーホールに圧入されるようになっており、
前記スルーホールに圧入されている前記プレスフィット端子の前記弾性片によって前記配線基板が押圧される方向を押圧力方向として、前記第１のプレスフィット端子からの押圧力方向に沿うとともに、前記第１のスルーホールの中心軸を通過する仮想直線を第１の直線として、前記第２のプレスフィット端子からの押圧力方向に沿うとともに、前記第２のスルーホールの中心軸を通過する仮想直線を第２の直線として、前記第３のプレスフィット端子からの押圧力方向に沿うとともに、前記第３のスルーホールの中心軸を通過する仮想直線を第３の直線としたとき、
前記第１の直線と前記第２の直線とが交わる点が一点以下となり、且つ前記第１の直線と前記第３の直線とが交わる点が一点以下となるように、前記各プレスフィット端子が配置されている
プレスフィット端子接続装置。
【請求項２】
前記第２の直線と前記第３の直線とが交わる点が一点以下となるように、前記各プレスフィット端子が配置されている
請求項１に記載のプレスフィット端子接続装置。
【請求項３】
前記第１の直線と前記第２の直線とが交差し、且つ前記第１の直線と前記第３の直線とが交差するように、前記各プレスフィット端子が配置されている
請求項１又は２に記載のプレスフィット端子接続装置。
【請求項４】
前記第１の直線と前記第２の直線とが直交し、且つ前記第１の直線と前記第３の直線とが直交するように、前記各プレスフィット端子が配置されている
請求項３に記載のプレスフィット端子接続装置。
【請求項５】
前記第１の配列方向に沿った直線及び前記第２の配列方向に沿った直線の両者と前記第１の直線が交差するように、前記第１のプレスフィット端子が配置されている
請求項１〜４のいずれか一項に記載のプレスフィット端子接続装置。
【請求項６】
前記第１の配列方向に沿った直線及び前記第２の配列方向に沿った直線の両者と前記第２の直線が交差するように、前記第２のプレスフィット端子が配置されている
請求項５に記載のプレスフィット端子接続装置。
【請求項７】
前記第１の配列方向に沿った直線及び前記第２の配列方向に沿った直線の両者と前記第１の直線が交差するとともに、
前記第１の直線と前記第２の直線とが交差し、且つ前記第１の直線と前記第３の直線とが平行となるように、
前記各プレスフィット端子が配置されている
請求項１又は２に記載のプレスフィット端子接続装置。
【請求項８】
前記第１のスルーホールと前記第２のスルーホールとの間において前記第２の配列方向に延伸する仮想直線を対称線としたとき、
前記対称線を中心として、前記第１のプレスフィット端子からの押圧力方向と前記第２のプレスフィット端子からの押圧力方向とが線対称であるように、前記第１のプレスフィット端子と前記第２のプレスフィット端子とが配置されている
請求項７に記載のプレスフィット端子接続装置。
【発明の詳細な説明】
【技術分野】
【０００１】
本発明は、配線基板のスルーホールにプレスフィット端子が圧入されるプレスフィット端子接続装置に関する。
【背景技術】
【０００２】
プレスフィット端子接続装置は、スルーホールが設けられている配線基板と、スルーホールに圧入されることによって配線基板に保持されるプレスフィット端子と、を備えている。
【０００３】
スルーホールに圧入されるプレスフィット端子として、配線基板を押圧する一対の弾性片を有したものが知られている。プレスフィット端子を圧入するに際しては、プレスフィット端子がスルーホールに挿入されるときに両弾性片が互いに接近する方向に変位する。このため、スルーホールの周壁には、両弾性片の復元力が押圧力として付与される。すなわち、プレスフィット端子がスルーホールに挿入されるときには、プレスフィット端子からの押圧力が付与されることによって配線基板に対して負荷が生じる。特に複数のスルーホールが規定の配列方向に沿って配置されており、規定の配列方向で互いに隣接する両スルーホールへのプレスフィット端子の圧入にかかり当該両プレスフィット端子から配線基板に付与される押圧力の方向が規定の配列方向と一致している場合には、配線基板における両スルーホールの間の部位に大きな負荷が生じることがある。このように配線基板の特定の部位に大きな負荷が生じると、配線基板が変形する虞があった。
【０００４】
そこで、特許文献１に記載のプレスフィット端子接続装置では、複数のスルーホールが並ぶ方向である配列方向と、各スルーホールに圧入されるプレスフィット端子から配線基板に付与される押圧力の方向と、を異ならせるようにしている。これによって、配線基板の特定の部位に大きな負荷が発生することを抑制できるようになっている。
【先行技術文献】
【特許文献】
【０００５】
【特許文献１】特開２００４‐１３４３０２号公報
【発明の概要】
【発明が解決しようとする課題】
【０００６】
例えば図１０に示すように、配線基板１１２には、第１の配列方向ＤＲに並ぶ複数のスルーホール１１３からなるスルーホールの行が、第１の配列方向ＤＲと直交する第２の配列方向ＤＣに複数配置されていることがある。なお、図１０における破線矢印の方向は、スルーホール１１３に圧入されるプレスフィット端子１２０から配線基板１１２に付与される押圧力の方向を表している。図１０に示すような配線基板１１２を特許文献１に記載のプレスフィット端子接続装置に適用した場合には、配線基板１１２のうち第２の配列方向ＤＣで互いに隣接する両スルーホール１１３にプレスフィット端子１２０をそれぞれ圧入すると、配線基板１１２のうち当該隣接する両スルーホール１１３の間の部位に大きな負荷が生じる虞がある。
【課題を解決するための手段】
【０００７】
上記課題を解決するためのプレスフィット端子接続装置は、複数のスルーホールが設けられている配線基板と、前記スルーホールに挿入される複数のプレスフィット端子と、を備え、前記各プレスフィット端子には前記スルーホールに圧入されたときに互いに接近する方向に弾性変形する複数の弾性片が設けられており、前記スルーホールに圧入されている前記プレスフィット端子の前記弾性片の復元力によって当該プレスフィット端子が前記配線基板に保持されるプレスフィット端子接続装置であって、前記スルーホールとして、第１のスルーホールと、該第１のスルーホールに対して第１の配列方向において隣接する第２のスルーホールと、前記第１のスルーホールに対して前記第１の配列方向と直交する第２の配列方向において隣接する第３のスルーホールと、が前記配線基板に設けられており、前記各プレスフィット端子のうち、第１のプレスフィット端子が前記第１のスルーホールに圧入され、第２のプレスフィット端子が前記第２のスルーホールに圧入され、第３のプレスフィット端子が前記第３のスルーホールに圧入されるようになっており、前記スルーホールに圧入されている前記プレスフィット端子の前記弾性片によって前記配線基板が押圧される方向を押圧力方向として、前記第１のプレスフィット端子からの押圧力方向に沿うとともに、前記第１のスルーホールの中心軸を通過する仮想直線を第１の直線として、前記第２のプレスフィット端子からの押圧力方向に沿うとともに、前記第２のスルーホールの中心軸を通過する仮想直線を第２の直線として、前記第３のプレスフィット端子からの押圧力方向に沿うとともに、前記第３のスルーホールの中心軸を通過する仮想直線を第３の直線としたとき、前記第１の直線と前記第２の直線とが交わる点が一点以下となり、且つ前記第１の直線と前記第３の直線とが交わる点が一点以下となるように、前記各プレスフィット端子が配置されていることをその要旨とする。
【０００８】
上記構成では、第１のプレスフィット端子からの押圧力方向と第２のプレスフィット端子からの押圧力方向とが互いに対向していない。このため、配線基板における第１のスルーホールと第２のスルーホールとの間の部位では、両スルーホールにプレスフィット端子をそれぞれ圧入することに起因する負荷が大きくなりにくい。また同様に、第１のプレスフィット端子からの押圧力方向と第３のプレスフィット端子からの押圧力方向とが互いに対向していない。このため、配線基板における第１のスルーホールと第３のスルーホールとの間の部位では、両スルーホールにプレスフィット端子をそれぞれ圧入することに起因する負荷が大きくなりにくい。すなわち、各スルーホールにプレスフィット端子が挿入されることに伴って配線基板の特定の箇所に大きな負荷が生じることを抑制できる。
【０００９】
なお、配線基板のうち、互いに隣接する両スルーホールの間の部位で、両スルーホールにプレスフィット端子をそれぞれ圧入することに起因する負荷が大きくなりやすい場合ほど、当該負荷に起因した配線基板の変形を抑制するためには互いに隣接する両スルーホールの間隔を広くすることが好ましい。この点、上記構成によれば、配線基板のうち、互いに隣接する両スルーホールの間の部位では上記の負荷が大きくなりにくいため、互いに隣接する両スルーホールの間隔を広くすることなく配線基板の変形を抑制することができる。
【００１０】
上記プレスフィット端子接続装置としては、前記第２の直線と前記第３の直線とが交わる点が一点以下となるように、前記各プレスフィット端子が配置されていてもよい。
上記構成によれば、第２のプレスフィット端子からの押圧力方向と第３のプレスフィット端子からの押圧力方向とが互いに対向しない。このため、配線基板における第２のスルーホールと第３のスルーホールとの間の部位においても、両スルーホールにプレスフィット端子をそれぞれ圧入することに起因する負荷が大きくなりにくい。
【００１１】
上記プレスフィット端子接続装置の一例として、前記第１の直線と前記第２の直線とが交差し、且つ前記第１の直線と前記第３の直線とが交差するように、前記各プレスフィット端子が配置されている構成を採用することもできる。
【００１２】
上記プレスフィット端子接続装置としては、例えば、第１の直線と第２の直線とが直交し、第１の直線と第３の直線とが直交するように各プレスフィット端子を配置するようにしてもよい。この場合、第１の配列方向で互いに隣接する第１のスルーホールと第２のスルーホールとの間隔と、第２の配列方向で互いに隣接する第１のスルーホールと第３のスルーホールとの間隔とを同一とすることが可能となる。
【００１３】
上記プレスフィット端子接続装置の一例では、前記第１の配列方向に沿った直線及び前記第２の配列方向に沿った直線の両者と前記第１の直線が交差するように、前記第１のプレスフィット端子が配置されている。
【００１４】
仮に第１の直線が第１の配列方向に沿った直線又は第２の配列方向に沿った直線と平行である場合、第１のスルーホールに圧入された第１のプレスフィット端子からの押圧力を考慮し、第１のスルーホールと、第１のスルーホールと隣接する他のスルーホールとの間隔を広めに設定することが望まれる。
【００１５】
この点、上記構成によれば、第１のプレスフィット端子からの押圧力方向が、第１の配列方向及び第２の配列方向と異なる。すなわち、第１のプレスフィット端子は、その押圧力方向が第１のスルーホールに隣接するスルーホールを指向しないように第１のスルーホールに圧入されている。このため、第１の直線が第１の配列方向に沿った直線又は第２の配列方向に沿った直線と平行である場合と比較し、第１のスルーホールと隣接する他のスルーホールとの間隔を広めに設定しなくてもよくなる。
【００１６】
上記プレスフィット端子接続装置の一例では、前記第１の配列方向に沿った直線及び前記第２の配列方向に沿った直線の両者と前記第２の直線が交差するように、前記第２のプレスフィット端子が配置されている。
【００１７】
上記構成によれば、第２のプレスフィット端子からの押圧力方向が、第１の配列方向及び第２の配列方向と異なる。すなわち、第２のプレスフィット端子は、その押圧力方向が第２のスルーホールに隣接するスルーホールを指向しないように第２のスルーホールに圧入されている。このため、第２の直線が第１の配列方向に沿った直線又は第２の配列方向に沿った直線と平行である場合と比較し、第２のスルーホールと隣接する他のスルーホールとの間隔を広めに設定しなくてもよくなる。
【００１８】
ところで、例えばＣＡＮ通信では２本の配線をペアとして用いることがある。また、プレスフィット端子が用いられる場合において配線基板のスルーホールの周縁に配線パターンを接続する際には、スルーホールの周縁のうち、プレスフィット端子の弾性片による押圧力が直接作用しない部分に配線パターンを接続することが一般的に行われている。
【００１９】
上記構成では、互いに隣接する第１のスルーホールと第２のスルーホールとに関して、スルーホールの配列方向である第１の配列方向及び第２の配列方向の両者とプレスフィット端子からの押圧力方向とが異なっている。このため、互いに隣接する両スルーホールの間隔を狭くすることができる。これによって、第１のスルーホールの周縁に接続される配線パターンと第２のスルーホールの周縁に接続される配線パターンとを並走させる場合、両配線パターンにおいて、第１及び第２のスルーホールの周縁に接続される側の端から両配線パターンの並走が開始される部位までの長さを短くすることが可能となる。
【００２０】
さらに、スルーホールの配列方向とプレスフィット端子からの押圧力方向とが異なっていることによって、第１のスルーホールの周縁から配線パターンを引き出す場合に、第２のスルーホールの周縁までの距離が最も短い位置から配線パターンを引き出すことが可能となる。第２のスルーホールから引き出す配線パターンについても同様である。
【００２１】
上記プレスフィット端子接続装置としては、前記第１の配列方向に沿った直線及び前記第２の配列方向に沿った直線の両者と前記第１の直線が交差するとともに、前記第１の直線と前記第２の直線とが交差し、且つ前記第１の直線と前記第３の直線とが平行となるように、前記各プレスフィット端子が配置されている構成を採用してもよい。
【００２２】
さらに上記プレスフィット端子接続装置としては、前記第１のスルーホールと前記第２のスルーホールとの間において前記第２の配列方向に延伸する仮想直線を対称線としたとき、前記対称線を中心として、前記第１のプレスフィット端子からの押圧力方向と前記第２のプレスフィット端子からの押圧力方向とが線対称であるように、前記第１のプレスフィット端子と前記第２のプレスフィット端子とが配置されている構成を採用することもできる。
【図面の簡単な説明】
【００２３】
【図１】プレスフィット端子接続装置の第１の実施形態を示す斜視図。
【図２】同実施形態にかかるプレスフィット端子接続装置において、スルーホールにプレスフィット端子が圧入された状態を示す断面図。
【図３】同実施形態にかかるプレスフィット端子接続装置において、スルーホール内における各弾性片の位置関係を示す断面図。
【図４】同実施形態にかかるプレスフィット端子接続装置において、複数のスルーホールの配置態様を示す模式図。
【図５】プレスフィット端子接続装置の変更例を示す模式図。
【図６】プレスフィット端子接続装置の他の変更例を示す模式図。
【図７】プレスフィット端子接続装置の第２の実施形態を示す模式図。
【図８】同実施形態にかかるプレスフィット端子接続装置の配線パターンを示す模式図。
【図９】比較例としてのプレスフィット端子接続装置の配線パターンを示す模式図。
【図１０】従来のプレスフィット端子接続装置を示す模式図。
【発明を実施するための形態】
【００２４】
（第１の実施形態）
以下、プレスフィット端子接続装置の第１の実施形態であるプレスフィット端子接続装置１０について、図１〜図４を参照して説明する。
【００２５】
図１には、複数のプレスフィット端子２０を備えるコネクタ３０と、コネクタ３０が実装される配線基板１１とを示している。コネクタ３０に設けられているプレスフィット端子２０と配線基板１１とによってプレスフィット端子接続装置１０が構成されている。プレスフィット端子接続装置１０では、コネクタ３０から突出している複数のプレスフィット端子２０が、配線基板１１に設けられたスルーホール１３にそれぞれ圧入されている。
【００２６】
図２には、プレスフィット端子２０がスルーホール１３に圧入されている状態の配線基板１１の断面を示している。
図２に示すように、配線基板１１は、平板状の基板本体１２と、基板本体１２の一方の面と他方の面とを貫通する貫通孔に挿入されている筒状の導電部材１４とを備えている。導電部材１４の内周面によって、基板本体１２を挟んだ両側の空間を連通させるスルーホール１３が区画されている。
【００２７】
図１及び図２に示すように、プレスフィット端子２０は、コネクタ３０から立設されている端子である。プレスフィット端子２０は、コネクタ３０に接続されている基端側の接続部２１と先端側の挿入部２５を有している。
【００２８】
図２に示すように、プレスフィット端子２０は、接続部２１と挿入部２５との間に位置する保持部２２を有している。保持部２２には、プレスフィット端子２０の中心軸を挟んだ両側に位置する一対の弾性片２４が設けられており、これら両弾性片２４の間にはプレスフィット端子２０の延伸方向と直交する方向に延びる孔２３が設けられている。保持部２２では、こうした孔２３によって、両弾性片２４が互いに接近する方向への弾性変形が許容される。なお、両弾性片２４は、挿入部２５及び接続部２１よりもプレスフィット端子２０の径方向外側に突出している。
【００２９】
プレスフィット端子２０は、両弾性片２４がスルーホール１３の周壁を押圧することによって、配線基板１１に保持される。詳述すると、プレスフィット端子２０がスルーホール１３に挿入されるときには、まず挿入部２５がスルーホール１３に挿入される。そして、保持部２２のうち弾性片２４の挿入部２５側の部分が導電部材１４、すなわちスルーホール１３の周壁に当接する。プレスフィット端子２０の挿入が継続されると、両弾性片２４が互いに接近する方向に変形しながら保持部２２がスルーホール１３に圧入される。すると、変形した保持部２２の両弾性片２４の復元力によって、両弾性片２４が配線基板１１を押圧する。その結果、プレスフィット端子２０が配線基板１１に保持される。
【００３０】
図３には、スルーホール１３に圧入されているプレスフィット端子２０の断面を示している。図３に示すように、プレスフィット端子２０の両弾性片２４がスルーホール１３の内部から配線基板１１を押圧している。図３には、スルーホール１３に圧入されているプレスフィット端子２０の両弾性片２４によって配線基板１１が押圧される方向を、押圧力方向ＤＦ１、押圧力方向ＤＦ２として実線の矢印で表示している。本プレスフィット端子２０にあっては、押圧力方向ＤＦ１の反対方向が押圧力方向ＤＦ２となる。なお、図３では、押圧力方向ＤＦ１及び押圧力方向ＤＦ２に沿った仮想直線であり、スルーホール１３の中心軸ＨＣを通過する仮想直線Ｌ０を破線で表示している。
【００３１】
以下では、弾性片２４による押圧力方向ＤＦ１，ＤＦ２に沿うとともにスルーホール１３の中心軸ＨＣを通過する仮想直線Ｌ０について、「プレスフィット端子の押圧力に係る仮想直線」ということもある。
【００３２】
プレスフィット端子接続装置１０の配線基板１１には、以下に示すように複数のスルーホール１３がそれぞれ設けられている。図４に示すように、配線基板１１に設けられている複数のスルーホール１３は、第１のスルーホールとしてのスルーホールＨ１１を含んでいる。
【００３３】
配線基板１１には、スルーホールＨ１１から第１の配列方向ＤＲに沿って、「ｍ」個（「ｍ」は「２」以上の正の整数。）のスルーホールＨ１２，Ｈ１３，……Ｈ１ｍが設けられている。各スルーホールＨ１１〜Ｈ１ｍは、等間隔を置いて整列している。なお、第１の配列方向ＤＲは、配線基板１１の表面に沿う方向である。
【００３４】
配線基板１１には、スルーホールＨ１１から第２の配列方向ＤＣに沿って、「ｎ」個（「ｎ」は「２」以上の正の整数。）のスルーホールＨ２１，……Ｈｎ１が設けられている。各スルーホールＨ２１〜Ｈｎ１は、等間隔を置いて整列している。なお、第２の配列方向ＤＣは、配線基板１１の表面に沿う方向のうち、第１の配列方向ＤＲに直交する方向である。
【００３５】
すなわち、配線基板１１には、「ｍ×ｎ」個のスルーホールが設けられている。
図４においては、スルーホールＨ１１から第１の配列方向ＤＲに配列されている各スルーホールＨ１２，Ｈ１３，……Ｈ１ｍのうちスルーホールＨ１２が、スルーホールＨ１１に対して第１の配列方向ＤＲにおいて隣接する第２のスルーホールに相当する。また、スルーホールＨ１１から第２の配列方向ＤＣに配列されている各スルーホールＨ２１，……Ｈｎ１のうちスルーホールＨ２１が、スルーホールＨ１１に対して第２の配列方向ＤＣにおいて隣接する第３のスルーホールに相当する。
【００３６】
また、図４では、図３において例示した仮想直線Ｌ０と同様に、各スルーホール１３に圧入されているプレスフィット端子２０の弾性片２４によって配線基板１１が押圧される押圧力方向に沿った仮想直線が実線でそれぞれ表示されている。
【００３７】
スルーホールＨ１１に圧入されるプレスフィット端子２０が第１のプレスフィット端子に相当する。このように第１のプレスフィット端子に相当するプレスフィット端子２０の押圧力に係る仮想直線を第１の直線Ｌ１としたとき、このプレスフィット端子２０は、第１の直線Ｌ１が第１の配列方向ＤＲに沿った直線と平行になるように配置されている。
【００３８】
スルーホールＨ１２に圧入されるプレスフィット端子２０が第２のプレスフィット端子に相当する。このように第２のプレスフィット端子に相当するプレスフィット端子２０の押圧力に係る仮想直線を第２の直線Ｌ２としたとき、このプレスフィット端子２０は、第２の直線Ｌ２が第２の配列方向ＤＣに沿った直線と平行になるように配置されている。
【００３９】
スルーホールＨ２１に圧入されるプレスフィット端子２０が第３のプレスフィット端子に相当する。このように第３のプレスフィット端子に相当するプレスフィット端子２０の押圧力に係る仮想直線を第３の直線Ｌ３としたとき、このプレスフィット端子２０は、第３の直線Ｌ３が第２の配列方向ＤＣに沿った直線と平行になるように配置されている。
【００４０】
第１の直線Ｌ１と第２の直線Ｌ２とは、一点で交差する。そして、第１の直線Ｌ１と第２の直線Ｌ２とが交差する角度は、９０度である。第１の直線Ｌ１と第３の直線Ｌ３とは、一点で交差する。そして、第１の直線Ｌ１と第３の直線Ｌ３とが交差する角度は、９０度である。したがって、プレスフィット端子接続装置１０では、第１の直線Ｌ１と第２の直線Ｌ２とが直交するように、第１のプレスフィット端子に相当するプレスフィット端子２０と第２のプレスフィット端子に相当するプレスフィット端子２０とが設けられている。さらに、プレスフィット端子接続装置１０では、第１の直線Ｌ１と第３の直線Ｌ３とが直交するように、第１のプレスフィット端子に相当するプレスフィット端子２０と第３のプレスフィット端子に相当するプレスフィット端子２０とが設けられている。第２の直線Ｌ２は、第３の直線Ｌ３に対して平行であり第３の直線Ｌ３とは交差していない。
【００４１】
なお、第１の配列方向ＤＲにおいてスルーホールＨ１２に隣接するスルーホールＨ１３にもプレスフィット端子２０が圧入される。このとき、スルーホールＨ１３に圧入されるプレスフィット端子２０は、当該プレスフィット端子２０の押圧力に係る仮想直線Ｌ４が第１の配列方向ＤＲに沿った直線と平行になるように配置されている。つまり、仮想直線Ｌ４は、第２の直線Ｌ２と一点で交差する。また、第１の配列方向ＤＲにおいてスルーホールＨ２１に隣接するスルーホールＨ２２にもプレスフィット端子２０が圧入される。このとき、スルーホールＨ２２に圧入されるプレスフィット端子２０は、当該プレスフィット端子２０の押圧力に係る仮想直線Ｌ５が第１の配列方向ＤＲに沿った直線と平行になるように配置されている。つまり、仮想直線Ｌ５は、第３の直線Ｌ３と一点で交差する。すなわち、第１の配列方向ＤＲにおいて互いに隣接する両スルーホールのうち、一方のスルーホールに圧入されるプレスフィット端子２０の押圧力に係る仮想直線が、他方のスルーホールに圧入されるプレスフィット端子２０の押圧力に係る仮想直線と交差するようになっている。
【００４２】
また、スルーホールＨ２２は第２の配列方向ＤＣにおいてスルーホールＨ１２に隣接しており、スルーホールＨ２２に圧入されるプレスフィット端子２０は仮想直線Ｌ５が第１の配列方向ＤＲに沿った直線と平行になるように配置されている。つまり、仮想直線Ｌ５は、第２の直線Ｌ２と一点で交差する。また、第２の配列方向ＤＣにおいてスルーホールＨ１３に隣接するスルーホールＨ２３にもプレスフィット端子２０が圧入される。このとき、スルーホールＨ２３に圧入されるプレスフィット端子２０は、当該プレスフィット端子２０の押圧力に係る仮想直線Ｌ６が第２の配列方向ＤＣに沿った直線と平行になるように配置されている。つまり、仮想直線Ｌ６は、仮想直線Ｌ４と一点で交差する。すなわち、第２の配列方向ＤＣにおいて互いに隣接する両スルーホールのうち、一方のスルーホールに圧入されるプレスフィット端子２０の押圧力に係る仮想直線が、他方のスルーホールに圧入されるプレスフィット端子２０の押圧力に係る仮想直線と交差するようになっている。
【００４３】
本実施形態の作用及び効果について説明する。
プレスフィット端子接続装置１０では、第１の配列方向ＤＲにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交する。例えば図４に示したようにスルーホールＨ１１に圧入されるプレスフィット端子２０の押圧力に係る仮想直線である第１の直線Ｌ１と、スルーホールＨ１２に圧入されるプレスフィット端子２０の押圧力に係る仮想直線である第２の直線Ｌ２とが直交する。すなわち、第１の配列方向ＤＲにおいて互いに隣接する両スルーホール１３のうち、一方のスルーホール１３に圧入されるプレスフィット端子２０からの押圧力方向と、他方のスルーホール１３に圧入されるプレスフィット端子２０からの押圧力方向とが互いに対向していない。これによって、配線基板１１のうち、第１の配列方向ＤＲにおいて互いに隣接する両スルーホール１３の間の部位では、両スルーホール１３にプレスフィット端子２０をそれぞれ圧入することに起因する負荷が大きくなりにくい。
【００４４】
また、第２の配列方向ＤＣにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交する。例えば図４に示したようにスルーホールＨ１１に圧入されるプレスフィット端子２０の押圧力に係る仮想直線である第１の直線Ｌ１と、スルーホールＨ２１に圧入されるプレスフィット端子２０の押圧力に係る仮想直線である第３の直線Ｌ３とが直交する。すなわち、第２の配列方向ＤＣにおいて互いに隣接する両スルーホール１３のうち、一方のスルーホール１３に圧入されるプレスフィット端子２０からの押圧力方向と、他方のスルーホール１３に圧入されるプレスフィット端子２０からの押圧力方向とが互いに対向していない。これによって、配線基板１１のうち、第１の配列方向ＤＲにおいて互いに隣接する両スルーホール１３の間の部位では、両スルーホール１３にプレスフィット端子２０をそれぞれ圧入することに起因する負荷が大きくなりにくい。
【００４５】
さらに、第２のスルーホールに相当するスルーホールＨ１２に圧入されるプレスフィット端子２０、及び、第３のスルーホールに相当するスルーホールＨ２１に圧入されるプレスフィット端子２０は、第２の直線Ｌ２と第３の直線Ｌ３が平行となるようにそれぞれ配置されている。そのため、これら両プレスフィット端子２０からの押圧力方向は互いに対向していない。これによって、配線基板１１のうち、スルーホールＨ１２とスルーホールＨ２１との間の部位では、両スルーホールにプレスフィット端子２０をそれぞれ圧入することに起因する負荷が大きくなりにくい。
【００４６】
すなわち、各スルーホール１３にプレスフィット端子２０が挿入されることに伴って配線基板１１の特定の箇所に大きな負荷が生じることを抑制できる。
なお、配線基板１１のうち、互いに隣接する両スルーホール１３の間の部位で、両スルーホール１３にプレスフィット端子２０をそれぞれ圧入することに起因する負荷が大きくなりやすい場合ほど、当該負荷に起因した配線基板１１の変形を抑制するために、互いに隣接する両スルーホール１３の間隔が広くされることがある。この点、プレスフィット端子接続装置１０によれば、配線基板１１のうち、互いに隣接する両スルーホール１３の間の部位では、上記の負荷が大きくなりにくいため、互いに隣接する両スルーホール１３の間隔を広くすることなく配線基板１１の変形を抑制することができる。
【００４７】
上述したように、第１の配列方向ＤＲにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交する。同様に、第２の配列方向ＤＣにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交する。このため、プレスフィット端子接続装置１０では、第１の配列方向ＤＲで互いに隣接する両スルーホール１３の間隔と、第２の配列方向ＤＣで互いに隣接する両スルーホール１３の間隔とを同一とすることが可能となる。すなわち、プレスフィット端子２０の押圧力による配線基板１１への影響を軽減しつつ、複数のスルーホール１３を等間隔に整列させることができる。また、このように第１の配列方向ＤＲで互いに隣接する両スルーホール１３の間隔と、第２の配列方向ＤＣで互いに隣接する両スルーホール１３の間隔とを同一とすることによって、これら各スルーホール１３に圧入されるプレスフィット端子２０を備えるコネクタ３０の第１の配列方向ＤＲへの大型化、又は、コネクタ３０の第２の配列方向ＤＣへの大型化の抑制が可能となる。
【００４８】
本実施形態は、以下のように変更して実施することができる。本実施形態及び以下の変更例は、技術的に矛盾しない範囲で互いに組み合わせて実施することができる。
・上記第１の実施形態では、第１の配列方向ＤＲにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交するように各プレスフィット端子２０を配置している。第１の配列方向ＤＲにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが一点で交わるのであれば、これら両仮想直線が直交しないように、両プレスフィット端子２０を配置してもよい。
【００４９】
また、上記第１の実施形態では、第２の配列方向ＤＣにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが直交するように各プレスフィット端子２０を配置している。第２の配列方向ＤＣにおいて互いに隣接する両スルーホール１３のうち、一方のスルーホール１３に圧入されるプレスフィット端子２０の押圧力に係る仮想直線と、他方のスルーホール１３に圧入されるプレスフィット端子２０の押圧力に係る仮想直線とが一点で交わるのであれば、これら両仮想直線が直交しないように、両プレスフィット端子２０を配置してもよい。
【００５０】
図５には、各仮想直線が直交していない例を示している。図５では、第１のプレスフィット端子の押圧力に係る仮想直線を第１の直線Ｌ１１として、第２のプレスフィット端子の押圧力に係る仮想直線を第２の直線Ｌ１２として、第３のプレスフィット端子の押圧力に係る仮想直線を第３の直線Ｌ１３として表示している。第１の直線Ｌ１１と第２の直線Ｌ１２とは交差するがその角度が直交ではない。また、第１の直線Ｌ１１と第３の直線Ｌ１３とは交差するがその角度が直交ではない。
【００５１】
また、図５に示す例では、第２の直線Ｌ１２と第３の直線Ｌ１３とを平行にしている。第１の直線Ｌ１１と第２の直線Ｌ１２とが交差し、第１の直線Ｌ１１と第３の直線Ｌ１３とが交差するのであれば、第２の直線Ｌ１２と第３の直線Ｌ１３とが交差するように各プレスフィット端子２０を配置することもできる。
【００５２】
・互いに隣接する両スルーホール１３に圧入されるプレスフィット端子２０の押圧力に係る仮想直線が第１の配列方向ＤＲに沿った直線及び第２の配列方向ＤＣに沿った直線の両者と交差するように、両プレスフィット端子２０を配置するようにしてもよい。このような場合の例が図６に図示されている。図６では、第１のプレスフィット端子の押圧力に係る仮想直線を第１の直線Ｌ２１として、第２のプレスフィット端子の押圧力に係る仮想直線を第２の直線Ｌ２２として、第３のプレスフィット端子の押圧力に係る仮想直線を第３の直線Ｌ２３として表示している。
【００５３】
図６に示す例では、第１の直線Ｌ２１、第２の直線Ｌ２２及び第３の直線Ｌ２３のいずれもが、第１の配列方向ＤＲに沿った直線及び第２の配列方向ＤＣに沿った直線の両者と交差するように、各プレスフィット端子が配置されている。
【００５４】
また、図６に示す例では、第２の直線Ｌ２２が第１の直線Ｌ２１と直交するように第１のプレスフィット端子と第２のプレスフィット端子とが配置されている。この場合、第２のプレスフィット端子からの押圧力方向が、第１の配列方向ＤＲ及び第２の配列方向ＤＣと異なる。すなわち、第２のプレスフィット端子は、その押圧力方向が第２のスルーホールであるスルーホールＨ１２に隣接するスルーホールＨ１１を指向しないようにスルーホールＨ１２に圧入されている。このため、第２の直線Ｌ２２が第１の配列方向ＤＲに沿った直線又は第２の配列方向ＤＣに沿った直線と仮に平行である場合と比較して、スルーホールＨ１２と隣接する他のスルーホールとの間隔を広めに設定することなく、配線基板１１の変形を抑制できる。また、隣接するスルーホールの間隔を狭くすることができるため、当該間隔が広い場合と比較して、各スルーホール１３に接続する配線パターン同士を並走させやすくなる。
【００５５】
なお図６では、第２の直線Ｌ２２が第１の直線Ｌ２１と直交するように第１のプレスフィット端子と第２のプレスフィット端子とが設けられている構成を例示しているが、第１の直線Ｌ２１と第２の直線Ｌ２２とが交差する角度は直交に限られるものではない。第２のプレスフィット端子は、第１の配列方向ＤＲ及び第２の配列方向ＤＣの両者と交差する第１の直線Ｌ２１に対して第２の直線Ｌ２２が交差するように設けられていればよい。
【００５６】
また、図６に示す例では、第３の直線Ｌ２３が第１の直線Ｌ２１と直交するように第１のプレスフィット端子と第３のプレスフィット端子とが配置されている。この場合、第３のプレスフィット端子からの押圧力方向が、第１の配列方向ＤＲ及び第２の配列方向ＤＣと異なる。すなわち、第３のプレスフィット端子は、その押圧力方向が第３のスルーホールであるスルーホールＨ２１に隣接するスルーホールＨ１１を指向しないようにスルーホールＨ２１に圧入されている。このため、第３の直線Ｌ２３が第１の配列方向ＤＲに沿った直線又は第２の配列方向ＤＣに沿った直線と平行である場合と比較すると、スルーホールＨ２１と隣接する他のスルーホールとの間隔を広めに設定しなくても、配線基板１１の変形を抑制できる。また、隣接する両スルーホールの間隔を狭くすることができるため、当該間隔が広い場合と比較して、各スルーホール１３に接続する配線パターン同士を並走させやすくなる。
【００５７】
なお図６では、第３の直線Ｌ２３が第１の直線Ｌ２１と直交するように第１のプレスフィット端子と第３のプレスフィット端子とが設けられている構成を例示しているが、第１の直線Ｌ２１と第３の直線Ｌ２３とが交差する角度は直交に限られるものではない。第３のプレスフィット端子は、第１の配列方向ＤＲ及び第２の配列方向ＤＣの両者と交差する第１の直線Ｌ２１に対して第３の直線Ｌ２３が交差するように設けられていればよい。
【００５８】
また、第１の直線Ｌ２１が第１の配列方向ＤＲに沿った直線及び第２の配列方向ＤＣに沿った直線の両者と交差するように第１のプレスフィット端子が配置されている場合、第２の直線Ｌ２２が第１の配列方向ＤＲに沿った直線又は第２の配列方向ＤＣに沿った直線と平行となるように第２のプレスフィット端子が配置されていてもよい。こうした構成を採用して、第１の直線Ｌ２１と第２の直線Ｌ２２とが交差するように各プレスフィット端子２０を配置することもできる。
【００５９】
同様に、第１の直線Ｌ２１が第１の配列方向ＤＲに沿った直線及び第２の配列方向ＤＣに沿った直線の両者と交差するように第１のプレスフィット端子が配置されている場合、第３の直線Ｌ２３が第１の配列方向ＤＲに沿った直線又は第２の配列方向ＤＣに沿った直線と平行となるように第３のプレスフィット端子が配置されていてもよい。こうした構成を採用して、第１の直線Ｌ２１と第３の直線Ｌ２３とが交差するように各プレスフィット端子２０を配置することもできる。
【００６０】
（第２の実施形態）
図７及び図８を用いて、第２の実施形態としてのプレスフィット端子接続装置１１０について説明する。
【００６１】
第２の実施形態のプレスフィット端子接続装置１１０では、図７に示すように、第１のスルーホールとしてのスルーホールＨ１１に圧入されるプレスフィット端子２０の押圧力に係る第１の直線Ｌ３１と、第３のスルーホールとしてのスルーホールＨ２１に圧入されるプレスフィット端子２０の押圧力に係る第３の直線Ｌ３３と、が平行である。第２の実施形態は、この点で第１の実施形態と異なる。第１の実施形態と共通の構成については、適宜説明を省略する。
【００６２】
第１の直線Ｌ３１と第３の直線Ｌ３３とが平行であることは、第１の直線Ｌ３１と第３の直線Ｌ３３とが交差しないことを意味する。すなわち、第１の直線Ｌ３１と第３の直線Ｌ３３とが交差する点は０点である。なお、第１の直線Ｌ３１及び第３の直線Ｌ３３は、第１の配列方向ＤＲ及び第２の配列方向ＤＣの両者に対してそれぞれ傾斜しており、第１の配列方向ＤＲに沿った直線及び第２の配列方向ＤＣに沿った直線の両者に対してそれぞれ交差している。プレスフィット端子接続装置１１０では、スルーホールＨ１１に圧入されるプレスフィット端子２０の押圧力に係る第１の直線Ｌ３１と、スルーホールＨ２１に圧入されるプレスフィット端子２０の押圧力に係る第３の直線Ｌ３３とが交差するように、各プレスフィット端子２０が配置されている。
【００６３】
また、図７には、スルーホールＨ１１と第２のスルーホールとしてのスルーホールＨ１２との間において第２の配列方向ＤＣに延伸する仮想直線を対称線ＬＳとして表示している。プレスフィット端子接続装置１１０では、対称線ＬＳを中心として、スルーホールＨ１１に圧入されるプレスフィット端子２０の押圧力に係る第１の直線Ｌ３１とスルーホールＨ１２に圧入されるプレスフィット端子２０の押圧力に係る第２の直線Ｌ３２とが線対称であるように、各プレスフィット端子２０が配置されている。
【００６４】
図８には、スルーホールＨ１１とスルーホールＨ１２の周縁に接続する配線パターンを例示している。基板本体１２には、スルーホールＨ１１に接続する配線パターン１５Ａが形成されている。配線パターン１５Ａは、スルーホールＨ１１に隣接するスルーホールＨ１２側に延伸し、図８における下側に屈曲するように形成されている。具体的には、配線パターン１５Ａは、スルーホールＨ１１の周縁から第１の配列方向ＤＲに延伸し、その後、９０度屈曲するように形成されている。基板本体１２には、スルーホールＨ１２に接続する配線パターン１５Ｂが形成されている。配線パターン１５Ｂは、スルーホールＨ１２に隣接するスルーホールＨ１１側に延伸し、図８における下側に屈曲するように形成されている。具体的には、配線パターン１５Ｂは、スルーホールＨ１２の周縁から第１の配列方向ＤＲに延伸し、その後、９０度屈曲するように形成されている。したがって、配線パターン１５Ａと配線パターン１５Ｂは、スルーホールＨ１１とスルーホールＨ１２との間隔であるスルーホール間隔ＨＳ１の範囲において向かい合うように延伸している。なお、図８では、配線パターン１５Ａと配線パターン１５Ｂとが並走している部分のことを「領域Ａ１」と表示している。
【００６５】
基板本体１２の表面上において配線パターン１５Ａ、１５Ｂの周囲には絶縁部１６が設けられている。なお、配線パターン１５Ａ、１５Ｂの端は、スルーホールＨ１１，Ｈ１２を構成する導電部材１４に接続されているが、図８では導電部材１４の表示を省略している。
【００６６】
本実施形態の作用及び効果について説明する。
第２の実施形態のプレスフィット端子接続装置１１０によれば、上記第１の実施形態と同様に、各スルーホール１３にプレスフィット端子２０が圧入されることに伴って配線基板１１の特定の箇所に大きな負荷が生じることを抑制できる。
【００６７】
ところで、例えばＣＡＮ通信では２本の配線をペアとして用いることがある。また、プレスフィット端子２０が用いられる場合において配線基板１１のスルーホール１３の周縁に配線パターンを接続する際には、スルーホール１３の周縁のうち、プレスフィット端子２０の弾性片２４による押圧力が直接作用しない部分に配線パターンを接続することが一般的に行われている。
【００６８】
図９には、比較例としてのプレスフィット端子接続装置を示している。この比較例では、第１の直線を第１の直線Ｌ４１として、第２の直線を第２の直線Ｌ４２として表示している。第１の直線Ｌ４１と第２の直線Ｌ４２とは同一直線上にあり、スルーホールＨ１１に圧入されるプレスフィット端子２０からの押圧力方向とスルーホールＨ１２に圧入されるプレスフィット端子２０からの押圧力方向とが互いに対向している。このため、スルーホール間隔ＨＳ２は、図８に示したプレスフィット端子接続装置１１０におけるスルーホール間隔ＨＳ１よりも大きい。また、押圧力方向が互いに対向しているため、これらスルーホールＨ１１，Ｈ１２に配線パターンを接続しようとした場合、スルーホールＨ１１の周縁のうち、最もスルーホールＨ１２に近い部分に配線パターンを接続することが困難である。同様に、スルーホールＨ１２の周縁のうち、最もスルーホールＨ１１に近い部分に配線パターンを接続することが困難である。このため、スルーホールＨ１１，Ｈ１２に接続される配線パターン１１５Ａ，１１５Ｂは、図９に実線で示すような形をとる。すなわち、スルーホールＨ１１に接続される配線パターン１１５Ａは、スルーホールＨ１１の周縁から第１の配列方向ＤＲ及び第２の配列方向ＤＣの双方と交差する方向に延伸するとともに、スルーホールＨ１２に接続される配線パターン１１５Ｂは、スルーホールＨ１２の周縁から第１の配列方向ＤＲ及び第２の配列方向ＤＣの双方と交差する方向に延伸する。そして、両配線パターン１１５Ａ，１１５Ｂの間隔がある程度小さくなると、両配線パターン１１５Ａ，１１５Ｂが第２の配列方向ＤＣに沿って並走するように各配線パターン１１５Ａ，１１５Ｂが屈曲する。
【００６９】
なお、図９には、図８に示したような形の配線パターンを仮に形成した場合の仮想配線パターン１１６Ａ，１１６Ｂを破線で示している。仮想配線パターン１１６ＡはスルーホールＨ１１に接続され、仮想配線パターン１１６ＢはスルーホールＨ１２に接続されている。
【００７０】
また、図９では、配線パターン１１５Ａと配線パターン１１５Ｂが並走している部分のことを「領域Ａ２」と表示している。そして、図８及び図９からも明らかなように、比較例において両配線パターン１１５Ａ，１１５Ｂが並走する領域Ａ２は、プレスフィット端子接続装置１１０において両配線パターン１５Ａ，１５Ｂが並走する領域Ａ１よりもスルーホールＨ１１，Ｈ１２の周縁からの距離が離れている。
【００７１】
図７に示したように、プレスフィット端子接続装置１１０では、第１の配列方向ＤＲ及び第２の配列方向ＤＣの両者とスルーホールＨ１１に圧入されるプレスフィット端子２０からの押圧力方向とがそれぞれ異なっている。また、スルーホールＨ１２に圧入されるプレスフィット端子２０からの押圧力方向もまた、第１の配列方向ＤＲ及び第２の配列方向ＤＣの両者と異なっている。したがって、第１の配列方向ＤＲと押圧力方向とが等しい場合と比較して、第１の配列方向ＤＲにおいて互いに隣接するスルーホールＨ１１とスルーホールＨ１２の間隔を狭くすることができる。これによって、図８に示したように、スルーホールＨ１１の周縁に接続される配線パターン１５ＡとスルーホールＨ１２の周縁に接続される配線パターン１５Ｂとを並走させる場合、両配線パターン１５Ａ，１５Ｂにおいて、各スルーホールＨ１１，Ｈ１２の周縁に接続される側の端から両配線パターン１５Ａ，１５Ｂの並走が開始される部位までの長さを短くすることが可能となる。図９に示した比較例において仮に仮想配線パターン１１６Ａ、１１６Ｂを形成したとしても、スルーホール間隔ＨＳ２がスルーホール間隔ＨＳ１よりも大きいため、仮想配線パターン１１６Ａ、１１６Ｂの並走が開始される部位までの長さが図７及び図８に示したプレスフィット端子接続装置１１０よりも長くなる。すなわち、プレスフィット端子接続装置１１０の方が、各スルーホールＨ１１，Ｈ１２の周縁から各スルーホールＨ１１，Ｈ１２の周縁に接続される両配線パターン１５Ａ，１５Ｂが並走を開始するまでの長さを短くすることができる。
【００７２】
さらに、プレスフィット端子接続装置１１０では、第１の配列方向ＤＲ及び第２の配列方向ＤＣの両者と、スルーホールＨ１１，Ｈ１２に圧入される各プレスフィット端子２０からの押圧力方向とが異なっていることによって、スルーホールＨ１１の周縁のうち、スルーホールＨ１２に最も近い部分に配線パターン１５Ａを接続することが可能となる。スルーホールＨ１２に接続する配線パターン１５Ｂについても同様である。すなわちプレスフィット端子接続装置１１０では、互いに隣接するスルーホールの配列方向である第１の配列方向ＤＲに沿って、各スルーホールＨ１１，Ｈ１２の周縁から配線パターン１５Ａ，１５Ｂを延伸することができる。
【００７３】
以上のように、プレスフィット端子接続装置１１０によれば、図９に示した比較例に比して、互いに隣接するスルーホールに接続される配線パターンが並走を開始するまでの距離を短くすることができる。
【００７４】
本実施形態は、以下のように変更して実施することができる。本実施形態及び以下の変更例は、技術的に矛盾しない範囲で互いに組み合わせて実施することができる。
・上記第２の実施形態では、第１の直線Ｌ３１と第３の直線Ｌ３３とが平行となるように各プレスフィット端子２０を配置した。第１の直線Ｌ３１が、第１の配列方向ＤＲ及び第２の配列方向ＤＣの両者に対してそれぞれ傾斜しているのであれば、第１の直線Ｌ３１と第２の直線Ｌ３２とが平行となるように各プレスフィット端子２０を配置することもできる。
【００７５】
その他、上記各実施形態に共通して変更可能な要素としては次のようなものがある。
・上記各実施形態では、第１のスルーホールに圧入される第１のプレスフィット端子からの押圧力方向と、第２のスルーホールに圧入される第２のプレスフィット端子からの押圧力方向とが対向していない。さらに、第１のスルーホールに圧入される第１のプレスフィット端子からの押圧力方向と、第３のスルーホールに圧入される第３のプレスフィット端子からの押圧力方向とが対向していない。さらにまた、第２のスルーホールに圧入される第２のプレスフィット端子からの押圧力方向と、第３のスルーホールに圧入される第３のプレスフィット端子からの押圧力方向とが対向していない。すなわち隣接するスルーホール１３間で、一方のスルーホール１３に圧入されるプレスフィット端子２０の押圧力に係る仮想直線と、他方のスルーホール１３に圧入されるプレスフィット端子２０の押圧力に係る仮想直線とが交差する点が一点以下となるように各プレスフィット端子２０を設けている。
【００７６】
ここで、互いに隣接するスルーホール１３における各中心軸ＨＣを通過する直線上に、一方のスルーホール１３に圧入されるプレスフィット端子２０の押圧力に係る仮想直線と、他方のスルーホール１３に圧入されるプレスフィット端子２０の押圧力に係る仮想直線の両者が位置する場合、両仮想直線が交差する点が無限に存在すると云える。
【００７７】
配線基板１１の特定の箇所に大きな負荷が集中することを軽減するという効果を奏するためには、第２のスルーホールと第３のスルーホールとについても、第２の直線と第３の直線とが交差する点が一点以下となるように第２のプレスフィット端子と第３のプレスフィット端子を配置することが好ましい。しかし、第１のスルーホールに対して第１の配列方向ＤＲにおいて隣接する第２のスルーホールと、第１のスルーホールに対して第２の配列方向ＤＣにおいて隣接する第３のスルーホールと、の間に関しては、第１の配列方向ＤＲ又は第２の配列方向ＤＣにおいて互いに隣接するスルーホール１３間よりも、スルーホール１３間の間隔を大きく確保しやすい。このため、第２のスルーホールと第３のスルーホールとに関しては、第２のスルーホールの中心軸ＨＣと第３のスルーホールの中心軸ＨＣとを通過する直線上に、第２の直線及び第３の直線の両者が位置するように、各プレスフィット端子２０が配置されていてもよい。
【００７８】
・上記各実施形態では、プレスフィット端子２０として、保持部２２に一対の弾性片２４が設けられている所謂ニードルアイ型のプレスフィット端子を採用しているが、プレスフィット端子２０の保持部２２の形状はこれに限らない。例えば、プレスフィット端子の周方向に沿って三個以上の弾性片が設けられており、各弾性片がスルーホール１３の周壁を押圧することで配線基板１１に保持されるプレスフィット端子を採用することもできる。この場合、各弾性片による押圧力に係る直線について、隣接するスルーホール間で交差する点が一点以下となるようにプレスフィット端子を設けることで、上記各実施形態と同様の効果を奏することができる。
【００７９】
・上記各実施形態では、配線基板１１上において第１の配列方向ＤＲ又は第２の配列方向ＤＣに沿って並ぶ各スルーホール１３について、隣接するスルーホール１３間の間隔を等間隔としている。隣接するスルーホール１３の間隔は等間隔に限らず、各スルーホール１３に圧入されるプレスフィット端子２０の押圧力に係る仮想直線が指向する方向を考慮して設定することができる。上記各実施形態のように、互いに隣接するスルーホール１３に圧入されるプレスフィット端子２０の押圧力が対向しないように各プレスフィット端子２０を設けることによって、隣接するスルーホール１３間の間隔をそれぞれ小さく設定することができる。
【００８０】
・上記各実施形態では、配線基板１１において、第１のスルーホールの中心軸ＨＣから第１の配列方向ＤＲに沿って延ばした直線上に、第１の配列方向ＤＲに沿って並ぶ複数のスルーホールの各中心軸ＨＣが位置するように、各スルーホールを設けている。第１の配列方向ＤＲに沿って並ぶスルーホールの中心軸ＨＣの位置は、スルーホール１３の直径よりも小さい範囲であれば、第１のスルーホールの中心軸ＨＣから第１の配列方向ＤＲに沿って延ばした直線に対して第２の配列方向ＤＣにずらしてもよい。
【００８１】
また、上記各実施形態では、配線基板１１において、第１のスルーホールの中心軸ＨＣから第２の配列方向ＤＣに沿って延ばした直線上に、第２の配列方向ＤＣに沿って並ぶ複数のスルーホールの各中心軸ＨＣが位置するように、各スルーホールを設けている。第２の配列方向ＤＣに沿って並ぶスルーホールの中心軸ＨＣの位置は、スルーホール１３の直径よりも小さい範囲であれば、第１のスルーホールの中心軸ＨＣから第２の配列方向ＤＣに沿って延ばした直線に対して第１の配列方向ＤＲにずらしてもよい。
【符号の説明】
【００８２】
１０…プレスフィット端子接続装置、１１…配線基板、１２…基板本体、１３…スルーホール、１４…導電部材、１５Ａ…配線パターン、１５Ｂ…配線パターン、１６…絶縁部、２０…プレスフィット端子、２１…接続部、２２…保持部、２３…孔、２４…弾性片、２５…挿入部、３０…コネクタ。
【図１】
2019169279.tif 000003
【図２】
2019169279.tif 000004
【図３】
2019169279.tif 000005
【図４】
2019169279.tif 000006
【図５】
2019169279.tif 000007
【図６】
2019169279.tif 000008
【図７】
2019169279.tif 000009
【図８】
2019169279.tif 000010
【図９】
2019169279.tif 000011
【図１０】
2019169279.tif 000012